(57)【要約】【課題】エラーレートを最小限に抑制しつつ、ＡＧＣを正常に機能させること。【解決手段】合計ゲイン候補決定部１０１は、イコライザ部３０、ＡＤ変換部４０、およびＦＩＲフィルタ部５０からなるＡＧＣのフィードバックループ内の合計ゲインＫtとして適した候補を決定する。ゲイン設定部１０２は、合計ゲインＫtの候補ごとに、対応するゲインＫpを前置増幅部１０に設定し、合計ゲインＫtを満たすゲインＫaおよびゲインＫfをＡＤ変換部４０およびＦＩＲフィルタ部５０に順次設定する。書込データ保持部１０３は、既知の書込データを保持する。エラーレート算出部１０４は、読出データと書込データとを比較し、読出データにおけるエラーレートを算出する。最適ゲイン判定部１０５は、エラーレートが最も小さいゲインの組み合わせを最適ゲインと判定する。【選択図】        図１
2008205849.tif 000002
【特許請求の範囲】
【請求項１】
可変利得増幅器の自動利得制御を行うフィードバックループ内のゲインを調整するゲイン調整装置であって、
前記可変利得増幅器のゲインの可変範囲内で入力信号の振幅を所定の目標振幅へ一致させることが可能な前記フィードバックループ内の複数の処理の合計ゲインを決定する決定手段と、
前記決定手段によって決定された合計ゲインを満たす個々の処理のゲインの組み合わせを前記フィードバックループ内に順次設定する設定手段と、
前記設定手段によって設定されたゲインで増幅された信号の状態に応じて最適なゲインの組み合わせを判定する判定手段と
を有することを特徴とするゲイン調整装置。
【請求項２】
前記判定手段は、
前記設定手段によって設定されたゲインで増幅された信号のエラーレートを算出する算出手段を含み、
前記算出手段によって算出されたエラーレートを最小とするゲインの組み合わせを最適と判定することを特徴とする請求項１記載のゲイン調整装置。
【請求項３】
前記算出手段は、
既知データとこの既知データを含む信号が前記設定手段によって設定されたゲインで増幅された信号中の増幅データとを比較してエラーレートを算出することを特徴とする請求項２記載のゲイン調整装置。
【請求項４】
前記判定手段は、
前記設定手段によってゲインが設定される個々の処理後の信号における振幅のピークを検出する検出手段を含み、
前記検出手段によって検出されるピークが所定条件を満たすゲインの組み合わせを最適と判定することを特徴とする請求項１記載のゲイン調整装置。
【請求項５】
前記決定手段は、
前記可変利得増幅器に先立って入力信号を増幅する前置増幅処理のゲインと合計ゲインとの組み合わせのうち、前記可変利得増幅器のゲインの可変範囲内で入力信号の振幅を所定の目標振幅へ一致させることが可能な組み合わせを決定することを特徴とする請求項１記載のゲイン調整装置。
【請求項６】
記憶媒体に記憶されたデータの再生信号を可変利得増幅器の自動利得制御を行って増幅する記憶装置であって、
前記可変利得増幅器のゲインの可変範囲内で再生信号の振幅を所定の目標振幅へ一致させることが可能な自動利得制御のフィードバックループ内の複数の処理の合計ゲインを決定する決定手段と、
前記決定手段によって決定された合計ゲインを満たす個々の処理のゲインの組み合わせを前記フィードバックループ内に順次設定する設定手段と、
前記設定手段によって設定されたゲインで増幅された信号の状態に応じて最適なゲインの組み合わせを判定する判定手段と
を有することを特徴とする記憶装置。
【請求項７】
可変利得増幅器の自動利得制御を行うフィードバックループ内のゲインを調整するゲイン調整方法であって、
前記可変利得増幅器のゲインの可変範囲内で入力信号の振幅を所定の目標振幅へ一致させることが可能な前記フィードバックループ内の複数の処理の合計ゲインを決定する決定工程と、
前記決定工程にて決定された合計ゲインを満たす個々の処理のゲインの組み合わせを前記フィードバックループ内に順次設定する設定工程と、
前記設定工程にて設定されたゲインで増幅された信号の状態に応じて最適なゲインの組み合わせを判定する判定工程と
を有することを特徴とするゲイン調整方法。
【発明の詳細な説明】
【技術分野】
【０００１】
本発明は、可変利得増幅器の自動利得制御を行うフィードバックループ内のゲインを調整するゲイン調整装置、記憶装置、およびゲイン調整方法に関し、特に、エラーレートを最小限に抑制しつつ、ＡＧＣを正常に機能させることができるゲイン調整装置、記憶装置、およびゲイン調整方法に関する。
【背景技術】
【０００２】
従来、例えば磁気ディスク装置などの記憶装置においては、記憶媒体である磁気ディスクからのデータ読み出しの際に、ヘッドによって読み取られた再生信号に対して自動利得制御（Auto Gain Control：以下「ＡＧＣ」と略記する）が行われることがある（例えば特許文献１参照）。ＡＧＣは、再生信号を増幅する増幅器のゲインを制御することにより、増幅後の信号の振幅を一定に保つものである。
【０００３】
図８は、磁気ディスク装置に設けられるＡＧＣ回路の構成例を示すブロック図である。同図に示すＡＧＣ回路は、前置増幅部１０、可変利得増幅器２０、イコライザ部３０、ＡＤ（Analogue/Digital）変換部４０、ＦＩＲ（Finite Impulse Response：有限インパルス応答）フィルタ部５０、ＡＧＣ部６０、および最尤復号部７０を有している。
【０００４】
前置増幅部１０は、図示しないヘッドによって磁気ディスクから読み取られた再生信号をあらかじめ設定されるゲインＫpで増幅する。このとき、ＡＧＣ回路では再生信号の振幅を目標振幅にまで増幅する必要があるため、前置増幅部１０は、ＡＧＣによって目標振幅への増幅が可能な範囲にまで再生信号の振幅を増幅する。換言すれば、前置増幅部１０のゲインＫpは、可変利得増幅器２０によるＡＧＣが可能な範囲にまで再生信号を増幅するゲインである。
【０００５】
可変利得増幅器２０は、前置増幅後の信号を可変なゲインＫvで増幅する。後述するように、可変利得増幅器２０のゲインＫvは、増幅後の信号の振幅を目標振幅に一致させるためのＡＧＣ部６０の制御に従って設定される。
【０００６】
イコライザ部３０は、増幅後の信号に対して周波数ごとの特性を調整する。ＡＤ変換部４０は、イコライザ部３０から出力される信号をあらかじめ設定されるゲインＫaで増幅した後に量子化を行い、アナログ信号をデジタル信号に変換する。ＦＩＲフィルタ部５０は、ＡＤ変換部４０から出力されるデジタル信号に対してフィルタリングを行い、ＰＲ（Partial Response）等化された信号を出力する。このとき、ＦＩＲフィルタ部５０によるフィルタリングによっても信号が整形され、あらかじめ設定されるゲインＫfで増幅されたことになる。
【０００７】
ＡＧＣ部６０は、ＦＩＲフィルタ部５０から出力される信号の振幅を目標振幅と比較し、比較の結果に応じて可変利得増幅器２０のゲインＫvを制御する。すなわち、ＡＧＣ部６０は、ＦＩＲフィルタ部５０から出力される信号の振幅が目標振幅より小さければ、可変利得増幅器２０のゲインＫvを大きくし、ＦＩＲフィルタ部５０から出力される信号の振幅がより大きくなるようにする。反対に、ＦＩＲフィルタ部５０から出力される信号の振幅が目標振幅より大きければ、可変利得増幅器２０のゲインＫvを小さくし、ＦＩＲフィルタ部５０から出力される信号の振幅がより小さくなるようにする。
【０００８】
最尤復号部７０は、例えばビタビ（Viterbi）検出などによって、ＰＲ等化された信号から最も確からしいデータ系列（最尤データ系列）を判断し、２値化された読出データを出力する。
【０００９】
このように、図８に示したＡＧＣ回路においては、ＦＩＲフィルタ部５０からの出力信号の振幅に応じて可変利得増幅器２０のゲインＫvを制御するフィードバックループを形成することにより、ＦＩＲフィルタ部５０からの出力信号の振幅を目標振幅に一致させる。このとき、可変利得増幅器２０のゲインＫvは、ＡＧＣ部６０によって制御されるが、前置増幅部１０におけるゲインＫp、ＡＤ変換部４０におけるゲインＫa、およびＦＩＲフィルタ部５０におけるゲインＫfは、いずれも初期設定のまま固定されたゲインである。したがって、可変利得増幅器２０のゲインＫvの可変範囲内で目標振幅への増幅が可能なように、ゲインＫp、ゲインＫa、およびゲインＫfを設定しておく必要がある。
【００１０】
【特許文献１】特開平１１−１８５３８６号公報
【発明の開示】
【発明が解決しようとする課題】
【００１１】
しかしながら、上述したＡＤ変換部４０のゲインＫaおよびＦＩＲフィルタ部５０のゲインＫfなど、ＡＧＣのフィードバックループ内のゲインは、読出データのエラーレートにも密接に関連しており、可変利得増幅器２０のゲインＫvの可変範囲のみを根拠として設定するのは好ましくない。
【００１２】
具体的には、例えば図９に示すように、ＦＩＲフィルタ部５０のゲインＫfが小さすぎても大きすぎてもエラーレートが増大し、読出データの誤りが多くなってしまう。また、ＡＤ変換部４０のゲインＫaについては、図９中実線で示す最適なゲインＫaの０．８倍のゲインＫa（図９中破線で示す）としたり、最適なゲインＫaの０．６倍のゲインＫa（図９中一点鎖線で示す）としたりすると、エラーレートが増大し、読出データの誤りが多くなる。
【００１３】
このようなエラーレートの増大は、以下のような理由による。すなわち、ＦＩＲフィルタ部５０のゲインＫfが大きい時には、ＡＤ変換部４０から出力される信号の振幅は小さいことになり、このため、ＡＤ変換部４０における量子化が振幅の微小な誤差の影響を受けやすくなる。したがって、ゲインＫfを大きくすると、ＡＤ変換時の誤りが多くなる。
【００１４】
一方、ＦＩＲフィルタ部５０のゲインＫfが小さい時には、ＡＤ変換部４０から出力される信号の振幅は大きいことになり、同様に、イコライザ部３０における信号の振幅も大きいことになる。そして、イコライザ部３０における信号の振幅が大きいと、周波数特性の調整の際に振幅が飽和状態となって振幅のピーク部分が歪むことがあり、イコライジング時の誤りが多くなる。このことは、図９において、ＡＤ変換部４０のゲインＫaを小さくするとエラーレートが増大することからも理解される。
【００１５】
このように、ＡＤ変換部４０のゲインＫaおよびＦＩＲフィルタ部５０のゲインＫfは、大きすぎても小さすぎてもエラーレートの増大を招くことになり、それぞれに最適値がある。ところが、ＡＤ変換部４０のゲインＫaおよびＦＩＲフィルタ部５０のゲインＫfを最適値に設定してしまうと、前置増幅部１０のゲインＫpで再生信号を最大限に増幅しても、前置増幅後の信号の振幅を可変利得増幅器２０のゲインＫvの可変範囲内で目標振幅に増幅することができず、ＡＧＣが不可能になってしまうことがある。
【００１６】
特に磁気ディスク装置などの記憶装置においては、記憶媒体（例えば磁気ディスク）から直接信号を読み取るヘッドの個体差により、再生信号そのものの振幅にばらつきがあり、再生信号の振幅が過小となるヘッドが備えられた記憶装置においては、正常にＡＧＣが機能しないことになってしまう。
【００１７】
本発明はかかる点に鑑みてなされたものであり、エラーレートを最小限に抑制しつつ、ＡＧＣを正常に機能させることができるゲイン調整装置、記憶装置、およびゲイン調整方法を提供することを目的とする。
【課題を解決するための手段】
【００１８】
上記課題を解決するために、本発明は、可変利得増幅器の自動利得制御を行うフィードバックループ内のゲインを調整するゲイン調整装置であって、前記可変利得増幅器のゲインの可変範囲内で入力信号の振幅を所定の目標振幅へ一致させることが可能な前記フィードバックループ内の複数の処理の合計ゲインを決定する決定手段と、前記決定手段によって決定された合計ゲインを満たす個々の処理のゲインの組み合わせを前記フィードバックループ内に順次設定する設定手段と、前記設定手段によって設定されたゲインで増幅された信号の状態に応じて最適なゲインの組み合わせを判定する判定手段とを有する構成を採る。
【００１９】
この構成によれば、可変利得増幅器のゲインの可変範囲内でのＡＧＣを可能とする合計ゲインを決定し、合計ゲインを満たす個々の処理のゲインの組み合わせをフィードバックループ内に順次設定し、設定されたゲインで増幅された信号の状態に応じて最適なゲインの組み合わせを判定する。このため、ＡＧＣ可能な合計ゲインの下で誤りを最も少なくするフィードバックループ内のＡＤ変換部やＦＩＲフィルタ部などのゲインを選択することができ、エラーレートを最小限に抑制しつつ、ＡＧＣを正常に機能させることができる。
【００２０】
また、本発明は、上記構成において、前記判定手段は、前記設定手段によって設定されたゲインで増幅された信号のエラーレートを算出する算出手段を含み、前記算出手段によって算出されたエラーレートを最小とするゲインの組み合わせを最適と判定する構成を採る。
【００２１】
この構成によれば、設定されたゲインで増幅された信号のエラーレートを算出し、エラーレートを最小とするゲインの組み合わせを最適と判定するため、確実に誤りを最も少なくするゲインの組み合わせを選択することができる。
【００２２】
また、本発明は、上記構成において、前記算出手段は、既知データとこの既知データを含む信号が前記設定手段によって設定されたゲインで増幅された信号中の増幅データとを比較してエラーレートを算出する構成を採る。
【００２３】
この構成によれば、既知データと増幅データとを比較してエラーレートを算出するため、フィードバックループ内での誤りの発生を正確に把握することができる。
【００２４】
また、本発明は、上記構成において、前記判定手段は、前記設定手段によってゲインが設定される個々の処理後の信号における振幅のピークを検出する検出手段を含み、前記検出手段によって検出されるピークが所定条件を満たすゲインの組み合わせを最適と判定する構成を採る。
【００２５】
この構成によれば、ゲインが設定される個々の処理後の信号振幅のピークを検出し、ピークが所定条件を満たすゲインの組み合わせを最適と判定するため、エラーレートを直接算出する処理を削減することができる。
【００２６】
また、本発明は、上記構成において、前記検出手段は、信号の周波数特性を調整するイコライジング処理後の信号の振幅のピークを検出し、前記判定手段は、前記検出手段によって検出されたピークが所定の閾値未満であるゲインの組み合わせを最適と判定する構成を採る。
【００２７】
この構成によれば、イコライジング処理後の信号振幅のピークを検出し、ピークが所定の閾値未満であるゲインの組み合わせを最適と判定するため、イコライジング処理時のフィルタリングによって振幅が過大であるためにピーク部分がカットされるようなゲインの組み合わせを除外して、最適なゲインの組み合わせを選択することができる。
【００２８】
また、本発明は、上記構成において、前記検出手段は、アナログ信号を量子化してデジタル信号に変換するＡＤ変換処理後の信号の振幅のピークを検出し、前記判定手段は、前記検出手段によって検出されたピークが所定の閾値以上であるゲインの組み合わせを最適と判定する構成を採る。
【００２９】
この構成によれば、ＡＤ変換処理後の信号振幅のピークを検出し、ピークが所定の閾値以上であるゲインの組み合わせを最適と判定するため、ＡＤ変換処理時に振幅が過小であるために量子化の誤りが発生しやすくなるようなゲインの組み合わせを除外して、最適なゲインの組み合わせを選択することができる。
【００３０】
また、本発明は、上記構成において、前記決定手段は、前記可変利得増幅器に先立って入力信号を増幅する前置増幅処理のゲインと合計ゲインとの組み合わせのうち、前記可変利得増幅器のゲインの可変範囲内で入力信号の振幅を所定の目標振幅へ一致させることが可能な組み合わせを決定する構成を採る。
【００３１】
この構成によれば、前置増幅処理のゲインと合計ゲインの組み合わせのうち、可変利得増幅器によるＡＧＣを可能とする組み合わせを決定するため、確実にＡＧＣを機能させることができる。
【００３２】
また、本発明は、記憶媒体に記憶されたデータの再生信号を可変利得増幅器の自動利得制御を行って増幅する記憶装置であって、前記可変利得増幅器のゲインの可変範囲内で再生信号の振幅を所定の目標振幅へ一致させることが可能な自動利得制御のフィードバックループ内の複数の処理の合計ゲインを決定する決定手段と、前記決定手段によって決定された合計ゲインを満たす個々の処理のゲインの組み合わせを前記フィードバックループ内に順次設定する設定手段と、前記設定手段によって設定されたゲインで増幅された信号の状態に応じて最適なゲインの組み合わせを判定する判定手段とを有する構成を採る。
【００３３】
この構成によれば、可変利得増幅器のゲインの可変範囲内でのＡＧＣを可能とする合計ゲインを決定し、合計ゲインを満たす個々の処理のゲインの組み合わせをフィードバックループ内に順次設定し、設定されたゲインで増幅された信号の状態に応じて最適なゲインの組み合わせを判定する。このため、ＡＧＣ可能な合計ゲインの下で誤りを最も少なくするフィードバックループ内のＡＤ変換部やＦＩＲフィルタ部などのゲインを選択することができ、記憶装置において、エラーレートを最小限に抑制しつつ、ＡＧＣを正常に機能させることができる。
【００３４】
また、本発明は、可変利得増幅器の自動利得制御を行うフィードバックループ内のゲインを調整するゲイン調整方法であって、前記可変利得増幅器のゲインの可変範囲内で入力信号の振幅を所定の目標振幅へ一致させることが可能な前記フィードバックループ内の複数の処理の合計ゲインを決定する決定工程と、前記決定工程にて決定された合計ゲインを満たす個々の処理のゲインの組み合わせを前記フィードバックループ内に順次設定する設定工程と、前記設定工程にて設定されたゲインで増幅された信号の状態に応じて最適なゲインの組み合わせを判定する判定工程とを有するようにした。
【００３５】
この方法によれば、可変利得増幅器のゲインの可変範囲内でのＡＧＣを可能とする合計ゲインを決定し、合計ゲインを満たす個々の処理のゲインの組み合わせをフィードバックループ内に順次設定し、設定されたゲインで増幅された信号の状態に応じて最適なゲインの組み合わせを判定する。このため、ＡＧＣ可能な合計ゲインの下で誤りを最も少なくするフィードバックループ内のＡＤ変換部やＦＩＲフィルタ部などのゲインを選択することができ、エラーレートを最小限に抑制しつつ、ＡＧＣを正常に機能させることができる。
【発明の効果】
【００３６】
本発明によれば、エラーレートを最小限に抑制しつつ、ＡＧＣを正常に機能させることができる。
【発明を実施するための最良の形態】
【００３７】
以下、本発明の実施の形態について、図面を参照して詳細に説明する。なお、以下においては、磁気ディスク装置などの記憶装置におけるＡＧＣを例に挙げて説明するが、例えば通信装置や音響装置などにおけるＡＧＣにも本発明を適用することができる。
【００３８】
（実施の形態１）
図１は、本発明の実施の形態１に係るゲイン調整装置の要部構成を示すブロック図である。同図において、図８と同じ部分には同じ符号を付し、その説明を省略する。図１に示すゲイン調整装置は、合計ゲイン候補決定部１０１、ゲイン設定部１０２、書込データ保持部１０３、エラーレート算出部１０４、および最適ゲイン判定部１０５を有している。
【００３９】
合計ゲイン候補決定部１０１は、イコライザ部３０、ＡＤ変換部４０、およびＦＩＲフィルタ部５０からなるＡＧＣのフィードバックループ内の合計ゲインＫtとして適した候補を決定する。すなわち、合計ゲイン候補決定部１０１は、イコライザ部３０、ＡＤ変換部４０、およびＦＩＲフィルタ部５０を１つの仮想的な増幅器とみなし、この増幅器のゲイン（すなわち合計ゲインＫt）と前置増幅部１０のゲインＫpとでＡＧＣが可能な組み合わせを検出する。そして、合計ゲイン候補決定部１０１は、ＡＧＣが可能な組み合わせの合計ゲインＫtを合計ゲイン候補として記憶する。
【００４０】
具体的には、合計ゲイン候補決定部１０１は、ＡＤ変換部４０のゲインＫaおよびＦＩＲフィルタ部５０のゲインＫfが取り得る値から求められる合計ゲインＫtが取り得る値を把握しており、それぞれの合計ゲインＫtの値ごとに前置増幅部１０のゲインＫpを調整したときに、信号の振幅が可変利得増幅器２０によるＡＧＣの制御範囲に収まるか否かを判定する。すなわち、合計ゲインＫtと前置増幅部１０のゲインＫpとを固定したときに、可変利得増幅器２０のゲインＫvを変化させて信号の振幅を目標振幅に一致させることができるか否かを判定する。このとき、合計ゲイン候補決定部１０１は、可変利得増幅器２０のゲインＫvがＡＧＣによって可変範囲の上限値または下限値となっていれば、ゲインＫvの可変範囲でのＡＧＣが不可能であると判定する。
【００４１】
ゲイン設定部１０２は、合計ゲイン候補決定部１０１によって決定された合計ゲインＫtの候補ごとに、対応するゲインＫpを前置増幅部１０に設定するとともに、合計ゲインＫtを拘束条件としてゲインＫaおよびゲインＫfをそれぞれＡＤ変換部４０およびＦＩＲフィルタ部５０に設定する。このとき、ゲイン設定部１０２は、すべての合計ゲインＫtの候補に対応するすべてのゲインＫaおよびゲインＫfの組み合わせを順次ＡＤ変換部４０およびＦＩＲフィルタ部５０に設定し、その都度、ゲインＫp、ゲインＫa、およびゲインＫfの組み合わせを最適ゲイン判定部１０５へ通知する。
【００４２】
また、ゲイン設定部１０２は、最適ゲイン判定部１０５から最適なゲインの組み合わせが指示されると、前置増幅部１０のゲインＫp、ＡＤ変換部４０のゲインＫa、およびＦＩＲフィルタ部５０のゲインＫfを指示された値に設定する。
【００４３】
書込データ保持部１０３は、図示しない磁気ディスクなどの記憶媒体に対してゲインの調整用に書き込まれた既知の書込データを保持する。書込データ保持部１０３に書込データが保持されているため、このデータを記憶媒体から読み出して比較することにより、読出データのエラーレートが算出可能になる。なお、本実施の形態においては、書込データ保持部１０３が記憶媒体に対して書き込まれた書込データを保持するものとしたが、読出データとの比較によりエラーレートが算出可能であれば、書込データ以外の既知データを保持していても良い。
【００４４】
エラーレート算出部１０４は、最尤復号部７０によって得られた読出データと書込データ保持部１０３によって保持された書込データとを比較し、読出データにおけるエラーレートを算出する。このとき、エラーレート算出部１０４は、ゲイン設定部１０２によって前置増腹部１０のゲインＫp、ＡＤ変換部４０のゲインＫa、およびＦＩＲフィルタ部５０のゲインＫfが設定されるたびにエラーレートを算出する。そして、エラーレート算出部１０４は、算出したエラーレートを最適ゲイン判定部１０５へ通知する。
【００４５】
最適ゲイン判定部１０５は、ゲイン設定部１０２からゲインＫp、ゲインＫa、およびゲインＫfの組み合わせが通知されると、この組み合わせに対するエラーレートをエラーレート算出部１０４から受け取って記憶する。そして、最適ゲイン判定部１０５は、すべてのゲインの組み合わせについてのエラーレートを記憶すると、エラーレートが最も小さいゲインの組み合わせを最適ゲインと判定し、この組み合わせのゲインＫp、ゲインＫa、およびゲインＫfをそれぞれ前置増幅部１０、ＡＤ変換部４０、およびＦＩＲフィルタ部５０に設定するようにゲイン設定部１０２へ指示する。
【００４６】
次いで、上記のように構成されたゲイン調整装置によるゲイン調整の動作について、図２に示すフロー図を参照しながら説明する。本実施の形態におけるゲイン調整の動作は、大きく分けて合計ゲインＫtの候補決定とゲインＫp、ゲインＫa、およびゲインＫfの決定との２つの処理からなっている。また、以下においては、図示しない磁気ディスクなどの記憶媒体に既知のデータが書き込まれており、この書込データが書込データ保持部１０３に保持されているものとする。
【００４７】
まず、合計ゲイン候補決定部１０１によって、イコライザ部３０、ＡＤ変換部４０、およびＦＩＲフィルタ部５０からなるＡＧＣのフィードバックループの合計ゲインＫtが固定される（ステップＳ１０１）。すなわち、合計ゲイン候補決定部１０１によって、ゲインＫaおよびゲインＫfの取り得る値から求められる合計ゲインＫtの１つが選択されて固定される。また、合計ゲイン候補決定部１０１によって、前置増幅部１０のゲインＫpが取り得る値の１つに固定される（ステップＳ１０２）。
【００４８】
そして、合計ゲイン候補決定部１０１によって、再生信号を前置増幅部１０のゲインＫpによって前置増幅し、合計ゲインＫtによって増幅する場合に、可変利得増幅器２０のゲインＫvの可変範囲内で再生信号の振幅を目標振幅に一致させることができるか否かが判定される。換言すれば、合計ゲイン候補決定部１０１によって、合計ゲインＫtおよびゲインＫpを固定した場合に、可変利得増幅器２０のゲインＫvが可変範囲の上限値または下限値に張り付くことなく、正常にＡＧＣが動作しているか否かが判定される（ステップＳ１０３）。
【００４９】
この判定の結果、ＡＧＣが可能であれば（ステップＳ１０３Ｙｅｓ）、合計ゲイン候補決定部１０１によって、固定された合計ゲインＫtが実際に適用する候補と決定され（ステップＳ１０４）、記憶される。同時に、この合計ゲインＫtの候補に対応して固定された前置増幅部１０のゲインＫpも記憶される。一方、ＡＧＣが不可能であれば（ステップＳ１０３Ｎｏ）、合計ゲイン候補決定部１０１によって、固定された合計ゲインＫtやゲインＫpが記憶されることはない。
【００５０】
そして、合計ゲイン候補決定部１０１によって、合計ゲインＫtおよびゲインＫpが取り得る値のすべての組み合わせについて上述のＡＧＣ可不可の判定が終了したか否かが判定される（ステップＳ１０５）。この結果、まだすべての組み合わせについて終了していなければ（ステップＳ１０５Ｎｏ）、合計ゲイン候補決定部１０１によって、未判定の合計ゲインＫtおよびゲインＫpが固定され、ＡＧＣが可能か否かが判定される。そして、すべての組み合わせについてＡＧＣ可不可の判定が終了すると（ステップＳ１０５Ｙｅｓ）、合計ゲイン候補決定部１０１には、可変利得増幅器２０のゲインＫvの可変範囲内で再生信号の振幅を目標振幅に一致させることが可能な合計ゲインＫtとゲインＫpの組み合わせが記憶されていることになる。これにより、合計ゲインＫtの候補決定の処理が完了する。
【００５１】
合計ゲインＫtの候補決定の処理が完了すると、次いでゲインＫp、ゲインＫa、およびゲインＫfの決定の処理が行われる。具体的には、合計ゲイン候補決定部１０１に記憶されている合計ゲインＫtの候補のいずれか１つが選択され、この合計ゲインＫtの候補と対応するゲインＫpがゲイン設定部１０２へ通知される。そして、ゲイン設定部１０２によって、通知された合計ゲインＫtの候補を満たすＡＤ変換部４０のゲインＫaおよびＦＩＲフィルタ部５０のゲインＫfが決定され、ゲインＫp、ゲインＫa、およびゲインＫfがそれぞれ前置増幅部１０、ＡＤ変換部４０、およびＦＩＲフィルタ部５０に設定される（ステップＳ１０６）。また、これらのゲインは、最適ゲイン判定部１０５へ通知される。
【００５２】
そして、ゲイン設定後、書込データ保持部１０３に保持された書込データと同一のデータが図示しない記憶媒体から読み出される（ステップＳ１０７）。すなわち、図示しないヘッドによって記憶媒体から信号が読み取られ、再生信号として前置増幅部１０へ入力される。再生信号は、前置増幅部１０によってゲインＫpで前置増幅され、可変利得増幅器２０によってゲインＫvで増幅され、イコライザ部３０、ＡＤ変換部４０、およびＦＩＲフィルタ部５０のそれぞれにおいて処理される。このとき、ＡＧＣ部６０によって可変利得増幅器２０のゲインＫvが制御され、再生信号の振幅は最終的に目標振幅に一致する。なお、合計ゲインＫtの候補とゲインＫpの組み合わせをＡＧＣ可能な範囲で決定しているため、可変利得増幅器２０のゲインＫvの可変範囲内で振幅を目標振幅に確実に一致させることができる。
【００５３】
振幅が目標振幅に一致した信号は、最尤復号部７０へ入力され、ビタビ検出されて２値化された読出データがエラーレート算出部１０４へ出力される。そして、エラーレート算出部１０４によって、読出データと書込データ保持部１０３に保持された書込データとが比較されることにより、読出データのエラーレートが算出される（ステップＳ１０８）。ここで、読出データが書込データと完全に同一であれば、読出データに誤りがまったくないことからエラーレートは最小となる。
【００５４】
算出されたエラーレートは、最適ゲイン判定部１０５へ通知され、最適ゲイン判定部１０５によって、現在設定中のゲインの組み合わせに対応付けてエラーレートが記憶される。具体的には、例えば図３に示すように、ゲイン設定部１０２から通知されるゲインの組み合わせが表形式で最適ゲイン判定部１０５に記憶され、エラーレートがエラーレート算出部１０４から通知されると、ゲインの組み合わせと対応付けてエラーレートが記憶される。
【００５５】
ゲイン設定部１０２では、１つの合計ゲインＫtの候補を拘束条件としてゲインＫaおよびゲインＫfを設定した後、この合計ゲインＫtの候補を満たすゲインＫaおよびゲインＫfのすべての組み合わせについて設定されたか否かが判定される（ステップＳ１０９）。この結果、既に設定済みのゲインＫaおよびゲインＫfの組み合わせ以外にも合計ゲインＫtの候補を満たすゲインＫaおよびゲインＫfの組み合わせがある場合には（ステップＳ１０９Ｎｏ）、ゲイン設定部１０２によって、未設定のゲインの組み合わせがＡＤ変換部４０およびＦＩＲフィルタ部５０に設定される。そして、再度データの読み出しおよびエラーレートの算出が行われ、最適ゲイン判定部１０５によって、新たなゲインの組み合わせに対するエラーレートが記憶される。
【００５６】
このような処理が繰り返され、合計ゲインＫtの候補を満たすすべてのゲインＫaおよびゲインＫfの組み合わせについてエラーレートが記憶されると（ステップＳ１０９Ｙｅｓ）、ゲイン設定部１０２によって、すべての合計ゲインＫtの候補について上述の処理が行われたか否かが判定される（ステップＳ１１０）。この結果、未処理の合計ゲインＫtの候補がある場合には（ステップＳ１１０Ｎｏ）、合計ゲインＫtの候補と前置増幅部１０のゲインＫpの組み合わせが変更された上で、この合計ゲインＫtの候補を満たすゲインＫaおよびゲインＫfの組み合わせに対応するエラーレートの算出が行われる。そして、すべての合計ゲインＫtの候補を満たすすべてのゲインＫaおよびゲインＫfの組み合わせについてエラーレートの算出が終了すると（ステップＳ１１０Ｙｅｓ）、最適ゲイン判定部１０５には、例えば図３に示すようなゲインの組み合わせとエラーレートの対応の一覧が記憶されていることになる。
【００５７】
この一覧が完成すると、最適ゲイン判定部１０５によって、エラーレートが最も小さいゲインの組み合わせが最適なゲインと判定され、ゲイン設定部１０２へ通知される。すなわち、例えば図３においては、太枠で囲まれた「−４．５」が全エラーレートの中で最も小さいとすると、このエラーレートに対応するゲインの組み合わせが最適なゲインとなる。したがって、前置増幅部１０のゲインＫpを「１０」、ＡＤ変換部４０のゲインＫaを「８」、ＦＩＲフィルタ部５０のゲインＫfを「１０」とする組み合わせた最適であると判定され、最適ゲイン判定部１０５からゲイン設定部１０２へ通知される。ゲイン設定部１０２へ最適なゲインの組み合わせが通知されると、ゲイン設定部１０２によって、最適なゲインがそれぞれ前置増幅部１０、ＡＤ変換部４０、およびＦＩＲフィルタ部５０に設定される（ステップＳ１１１）。
【００５８】
こうして前置増幅部１０、ＡＤ変換部４０、およびＦＩＲフィルタ部５０に設定されたゲインは、合計ゲインＫtの候補決定によって、可変利得増幅器２０のゲインＫvの可変範囲内でのＡＧＣを可能にすることが確認されているとともに、読出データのエラーレートを最も小さくする。また、実際のエラーレートを算出してゲインＫaおよびゲインＫfを決定しているため、これらのゲインは、図示しないヘッドの特性を考慮した上で最適なゲインとなっており、複数のヘッドに個体差があるとしても、それぞれのヘッドに見合ったゲインが設定されることになる。
【００５９】
以上のように、本実施の形態によれば、ＡＧＣのフィードバックループ全体を仮想的な増幅器とみなし、この増幅器のゲインである合計ゲインと前置増幅のゲインとの組み合わせのうち、可変利得増幅器によるＡＧＣが可能となる組み合わせを決定し、決定された組み合わせの合計ゲインを拘束条件としてＡＧＣのフィードバックループの各処理部のゲインを設定し、エラーレートが最も良好となるゲインを選択する。このため、ＡＧＣ可能な合計ゲインの下でエラーレートを最小にするフィードバックループ内のＡＤ変換部やＦＩＲフィルタ部などのゲインを選択することができ、エラーレートを最小限に抑制しつつ、ＡＧＣを正常に機能させることができる。
【００６０】
なお、上記実施の形態１においては、書込データ保持部１０３に保持された書込データと読出データの比較によりエラーレートを算出するものとしたが、例えばビタビ検出時に求められるＶＭＭ（Viterbi Metric Margin）など他の誤り率の指標を用いて最適なゲインの組み合わせを選択しても良い。
【００６１】
（実施の形態２）
本発明の実施の形態２の特徴は、エラーレートの算出を行わずに、イコライザ部およびＡＤ変換部における信号のピークを検出し、検出されたピークの大きさから最適なゲインの組み合わせを選択する点である。
【００６２】
図４は、本実施の形態に係るゲイン調整装置の要部構成を示すブロック図である。同図において、図１および図８と同じ部分には同じ符号を付し、その説明を省略する。図４に示すゲイン調整装置は、合計ゲイン候補決定部１０１、ゲイン設定部１０２、ピーク検出部２０１、ピーク検出部２０２、および最適ゲイン判定部２０３を有している。
【００６３】
ピーク検出部２０１は、イコライザ部３０から出力される信号の振幅のピークを検出する。イコライザ部３０においては周波数特性の調整が行われ、特定の振幅の帯域がフィルタリングされてイコライザ部３０を通過することになるため、イコライザ部３０における信号の振幅のピークが過大であると、所定の振幅以上のピーク部分はイコライザ部３０においてカットされてしまうことになる。したがって、ピーク検出部２０１によって検出されるピークがイコライザ部３０における通過帯域の上限値または下限値に等しければ、イコライザ部３０において信号のピーク部分がカットされていることになり、エラーレートが増大する可能性が高いことになる。
【００６４】
ピーク検出部２０２は、ＡＤ変換部４０から出力される信号の振幅のピークを検出する。ＡＤ変換部４０においてはゲインＫaで信号が増幅された後に量子化が行われるが、増幅後の信号のピークが過小であると、微小なノイズでもピークに対する相対的なノイズの振幅が大きくなり、ＡＤ変換の誤りが生じることになる。したがって、ピーク検出部２０２によって検出されるピークが所定の閾値未満であると、ＡＤ変換部４０における量子化の信頼度が低く、エラーレートが増大する可能性が高いことになる。
【００６５】
最適ゲイン判定部２０３は、ゲイン設定部１０２によって設定されたゲインＫp、ゲインＫa、およびゲインＫfに対応付けてピーク検出部２０１およびピーク検出部２０２によって検出されるピークを記憶する。そして、最適ゲイン判定部２０３は、すべてのゲインの組み合わせについてのピークを記憶すると、ピーク検出部２０１によって検出されたピークが所定の閾値未満かつピーク検出部２０２によって検出されたピークが所定の閾値以上であるゲインの組み合わせを最適ゲインと判定し、この組み合わせのゲインＫp、ゲインＫa、およびゲインＫfをそれぞれ前置増幅部１０、ＡＤ変換部４０、およびＦＩＲフィルタ部５０に設定するようにゲイン設定部１０２へ指示する。
【００６６】
次いで、上記のように構成されたゲイン調整装置によるゲイン調整の動作について、図５に示すフロー図を参照しながら説明する。同図において、図２と同じ部分には同じ符号を付し、その詳しい説明を省略する。本実施の形態においても、ゲイン調整の動作は、大きく分けて合計ゲインＫtの候補決定とゲインＫp、ゲインＫa、およびゲインＫfの決定との２つの処理からなっており、合計ゲインＫtの候補決定については実施の形態１と同様である。
【００６７】
まず、合計ゲイン候補決定部１０１によって、イコライザ部３０、ＡＤ変換部４０、およびＦＩＲフィルタ部５０からなるＡＧＣのフィードバックループの合計ゲインＫtが固定される（ステップＳ１０１）。また、合計ゲイン候補決定部１０１によって、前置増幅部１０のゲインＫpが取り得る値の１つに固定される（ステップＳ１０２）。そして、合計ゲイン候補決定部１０１によって、合計ゲインＫtおよびゲインＫpを固定した場合に、可変利得増幅器２０によるＡＧＣが可能であるか否かが判定される（ステップＳ１０３）。
【００６８】
この判定の結果、ＡＧＣが可能であれば（ステップＳ１０３Ｙｅｓ）、合計ゲイン候補決定部１０１によって、固定された合計ゲインＫtが実際に適用する候補と決定され（ステップＳ１０４）、記憶される。同時に、この合計ゲインＫtの候補に対応して固定された前置増幅部１０のゲインＫpも記憶される。一方、ＡＧＣが不可能であれば（ステップＳ１０３Ｎｏ）、合計ゲイン候補決定部１０１によって、固定された合計ゲインＫtやゲインＫpが記憶されることはない。
【００６９】
そして、合計ゲイン候補決定部１０１によって、合計ゲインＫtおよびゲインＫpが取り得る値のすべての組み合わせについて上述のＡＧＣ可不可の判定が終了したか否かが判定される（ステップＳ１０５）。この結果、まだすべての組み合わせについて終了していなければ（ステップＳ１０５Ｎｏ）、合計ゲイン候補決定部１０１によって、未判定の合計ゲインＫtおよびゲインＫpが固定され、ＡＧＣが可能か否かが判定される。そして、すべての組み合わせについてＡＧＣ可不可の判定が終了すると（ステップＳ１０５Ｙｅｓ）、合計ゲインＫtの候補決定の処理が完了する。
【００７０】
合計ゲインＫtの候補決定の処理が完了すると、次いでゲインＫp、ゲインＫa、およびゲインＫfの決定の処理が行われる。具体的には、合計ゲイン候補決定部１０１に記憶されている合計ゲインＫtの候補のいずれか１つが選択され、この合計ゲインＫtの候補と対応するゲインＫpがゲイン設定部１０２へ通知される。そして、ゲイン設定部１０２によって、通知された合計ゲインＫtの候補を満たすＡＤ変換部４０のゲインＫaおよびＦＩＲフィルタ部５０のゲインＫfが決定され、ゲインＫp、ゲインＫa、およびゲインＫfがそれぞれ前置増幅部１０、ＡＤ変換部４０、およびＦＩＲフィルタ部５０に設定される（ステップＳ１０６）。また、これらのゲインは、最適ゲイン判定部１０５へ通知される。
【００７１】
そして、ゲイン設定後、図示しない記憶媒体から所定のデータの読み出しが行われる（ステップＳ１０７）。すなわち、図示しないヘッドによって記憶媒体から信号が読み取られ、再生信号として前置増幅部１０へ入力される。再生信号は、前置増幅部１０によってゲインＫpで前置増幅され、可変利得増幅器２０によってゲインＫvで増幅され、イコライザ部３０、ＡＤ変換部４０、およびＦＩＲフィルタ部５０のそれぞれにおいて処理される。このとき、ＡＧＣ部６０によって可変利得増幅器２０のゲインＫvが制御され、再生信号の振幅は最終的に目標振幅に一致する。なお、合計ゲインＫtの候補とゲインＫpの組み合わせをＡＧＣ可能な範囲で決定しているため、可変利得増幅器２０のゲインＫvの可変範囲内で振幅を目標振幅に確実に一致させることができる。
【００７２】
また、イコライザ部３０およびＡＤ変換部４０から信号が出力される際には、それぞれピーク検出部２０１およびピーク検出部２０２によって振幅のピークが検出される（ステップＳ２０１）。すなわち、ピーク検出部２０１によってイコライザ部３０から出力される信号のピークが検出され、ピーク検出部２０２によってＡＤ変換部４０から出力される信号のピークが検出される。検出されたピークは、最適ゲイン判定部２０３へ通知され、最適ゲイン判定部２０３によって、現在設定中のゲインの組み合わせに対応付けてそれぞれのピークが記憶される。
【００７３】
ゲイン設定部１０２では、１つの合計ゲインＫtの候補を拘束条件としてゲインＫaおよびゲインＫfを設定した後、この合計ゲインＫtの候補を満たすゲインＫaおよびゲインＫfのすべての組み合わせについて設定されたか否かが判定される（ステップＳ１０９）。この結果、既に設定済みのゲインＫaおよびゲインＫfの組み合わせ以外にも合計ゲインＫtの候補を満たすゲインＫaおよびゲインＫfの組み合わせがある場合には（ステップＳ１０９Ｎｏ）、ゲイン設定部１０２によって、未設定のゲインの組み合わせがＡＤ変換部４０およびＦＩＲフィルタ部５０に設定される。そして、再度データの読み出しおよびピークの検出が行われ、最適ゲイン判定部２０３によって、新たなゲインの組み合わせに対する２つのピークが記憶される。
【００７４】
このような処理が繰り返され、合計ゲインＫtの候補を満たすすべてのゲインＫaおよびゲインＫfの組み合わせについて２つのピークが記憶されると（ステップＳ１０９Ｙｅｓ）、ゲイン設定部１０２によって、すべての合計ゲインＫtの候補について上述の処理が行われたか否かが判定される（ステップＳ１１０）。この結果、未処理の合計ゲインＫtの候補がある場合には（ステップＳ１１０Ｎｏ）、合計ゲインＫtの候補と前置増幅部１０のゲインＫpの組み合わせが変更された上で、この合計ゲインＫtの候補を満たすゲインＫaおよびゲインＫfの組み合わせに対応するピークの検出が行われる。そして、すべての合計ゲインＫtの候補を満たすすべてのゲインＫaおよびゲインＫfの組み合わせについてピークの検出が終了すると（ステップＳ１１０Ｙｅｓ）、最適ゲイン判定部２０３には、すべてのゲインの組み合わせに対応付けてイコライザ部３０およびＡＤ変換部４０それぞれから出力される信号のピークが記憶されていることになる。
【００７５】
そして、最適ゲイン判定部２０３によって、ピーク検出部２０１によって検出されたピークが所定の閾値未満かつピーク検出部２０２によって検出されたピークが所定の閾値以上であるゲインの組み合わせが最適なゲインと判定され、ゲイン設定部１０２へ通知される。なお、それぞれのピークと比較される閾値は同一の値ではなく、互いに異なっている。
【００７６】
ピーク検出部２０１によって検出されたピークは、イコライザ部３０によって周波数特性が調整された後の信号のピークであり、イコライザ部３０によってフィルタリングされた後の信号のピークである。具体的には、イコライザ部３０においては、例えば図６に示すように回路の通過振幅が存在し、信号振幅が過大であると、入力振幅およびフィルタリング後の出力振幅が制限される（図６左図参照）。したがって、イコライザ部３０から出力される信号のピークは、最大でもイコライザ部３０の通過振幅の上限値に等しいことになる。そして、このピークがイコライザ部３０の通過振幅の上限値に等しい場合には、イコライザ部３０においてピーク部分がカットされている可能性が高く、エラーレートの増大を招く。したがって、ピーク検出部２０１によって検出されたピークと比較される上限の閾値は、イコライザ部３０の通過振幅の上限値以下の値であり、この閾値以上のピークがピーク検出部２０１によって検出される場合には、エラーレートが増大すると判断される。
【００７７】
また、逆に信号振幅が過小であると、微小な回路ノイズの大きさが信号振幅に対して相対的に大きくなり（図６右図参照）、エラーレートの増大を招く。したがって、ピーク検出部２０１によって検出されたピークと比較される下限の閾値は、回路ノイズの影響を考慮して決定され、この閾値未満のピークがピーク検出部２０１によって検出される場合には、エラーレートが増大すると判断される。
【００７８】
一方、ピーク検出部２０２によって検出されたピークは、ＡＤ変換部４０によって増幅および量子化が行われた後の信号のピークであり、デジタル信号のピークである。ＡＤ変換部４０においては、例えば図７に示すように所定の量子化ビット数および量子化幅でアナログ信号の量子化が行われており、ＡＤ変換部４０における振幅が小さければ、量子化誤差が大きくなり（図７左図参照）、エラーレートの増大を招く。したがって、ピーク検出部２０２によって検出されたピークと比較される下限の閾値は、ＡＤ変換部４０における量子化ビット数や量子化幅を考慮して決定され、この閾値未満のピークがピーク検出部２０２によって検出される場合には、エラーレートが増大すると判断される。
【００７９】
また、逆にＡＤ変換部４０における振幅が大きいと、ＡＤ変換可能な振幅の範囲を超えてしまい、超過した分は量子化することが不可能となって（図７右図参照）、エラーレートの増大を招く。したがって、ピーク検出部２０２によって検出されたピークと比較される上限の閾値は、ＡＤ変換で量子化可能な振幅の上限以下の値であり、この閾値以上のピークがピーク検出部２０２によって検出される場合には、エラーレートが増大すると判断される。
【００８０】
このような閾値とピークの比較により、エラーレートを最小限に抑制する最適なゲインの組み合わせが決定され、ゲイン設定部１０２へ通知されると、ゲイン設定部１０２によって、最適なゲインがそれぞれ前置増幅部１０、ＡＤ変換部４０、およびＦＩＲフィルタ部５０に設定される（ステップＳ２０２）。なお、ピークが閾値の条件を満たすゲインの組み合わせが複数ある場合には、それぞれのピークが閾値からより離れているゲインの組み合わせを選択すれば良い。
【００８１】
こうして前置増幅部１０、ＡＤ変換部４０、およびＦＩＲフィルタ部５０に設定されたゲインは、合計ゲインＫtの候補決定によって、可変利得増幅器２０のゲインＫvの可変範囲内でのＡＧＣを可能にすることが確認されているとともに、イコライザ部３０およびＡＤ変換部４０の処理に起因した誤りが発生しにくい。
【００８２】
以上のように、本実施の形態によれば、ＡＧＣのフィードバックループ全体を仮想的な増幅器とみなし、この増幅器のゲインである合計ゲインと前置増幅のゲインとの組み合わせのうち、可変利得増幅器によるＡＧＣが可能となる組み合わせを決定し、決定された組み合わせの合計ゲインを拘束条件としてＡＧＣのフィードバックループの各処理部のゲインを設定し、イコライジングおよびＡＤ変換に適した振幅が得られるゲインを選択する。このため、ＡＧＣ可能な合計ゲインの下で誤りを発生しにくくするフィードバックループ内のＡＤ変換部やＦＩＲフィルタ部などのゲインを選択することができ、エラーレートを最小限に抑制しつつ、ＡＧＣを正常に機能させることができる。また、エラーレートを直接算出する処理を削減することができる。
【００８３】
なお、上記各実施の形態においては、ＡＧＣ回路にゲイン調整装置を付加するものとして説明したが、上述した処理を実行するプログラムをＡＧＣ回路を備えた装置に読み込ませ、ＣＰＵ（Central Processing Unit）やＭＰＵ（Micro Processing Unit）などのプロセッサがプログラムを実行するなどの実施形態でも良い。また、ゲイン調整装置は、ＡＧＣ回路を備えた装置にあらかじめ組み込まれていても良く、この装置に着脱可能であっても良い。
【００８４】
（付記１）可変利得増幅器の自動利得制御を行うフィードバックループ内のゲインを調整するゲイン調整装置であって、
前記可変利得増幅器のゲインの可変範囲内で入力信号の振幅を所定の目標振幅へ一致させることが可能な前記フィードバックループ内の複数の処理の合計ゲインを決定する決定手段と、
前記決定手段によって決定された合計ゲインを満たす個々の処理のゲインの組み合わせを前記フィードバックループ内に順次設定する設定手段と、
前記設定手段によって設定されたゲインで増幅された信号の状態に応じて最適なゲインの組み合わせを判定する判定手段と
を有することを特徴とするゲイン調整装置。
【００８５】
（付記２）前記判定手段は、
前記設定手段によって設定されたゲインで増幅された信号のエラーレートを算出する算出手段を含み、
前記算出手段によって算出されたエラーレートを最小とするゲインの組み合わせを最適と判定することを特徴とする付記１記載のゲイン調整装置。
【００８６】
（付記３）前記算出手段は、
既知データとこの既知データを含む信号が前記設定手段によって設定されたゲインで増幅された信号中の増幅データとを比較してエラーレートを算出することを特徴とする付記２記載のゲイン調整装置。
【００８７】
（付記４）前記判定手段は、
前記設定手段によってゲインが設定される個々の処理後の信号における振幅のピークを検出する検出手段を含み、
前記検出手段によって検出されるピークが所定条件を満たすゲインの組み合わせを最適と判定することを特徴とする付記１記載のゲイン調整装置。
【００８８】
（付記５）前記検出手段は、
信号の周波数特性を調整するイコライジング処理後の信号の振幅のピークを検出し、
前記判定手段は、
前記検出手段によって検出されたピークが所定の閾値未満であるゲインの組み合わせを最適と判定することを特徴とする付記４記載のゲイン調整装置。
【００８９】
（付記６）前記検出手段は、
アナログ信号を量子化してデジタル信号に変換するＡＤ変換処理後の信号の振幅のピークを検出し、
前記判定手段は、
前記検出手段によって検出されたピークが所定の閾値以上であるゲインの組み合わせを最適と判定することを特徴とする付記４記載のゲイン調整装置。
【００９０】
（付記７）前記決定手段は、
前記可変利得増幅器に先立って入力信号を増幅する前置増幅処理のゲインと合計ゲインとの組み合わせのうち、前記可変利得増幅器のゲインの可変範囲内で入力信号の振幅を所定の目標振幅へ一致させることが可能な組み合わせを決定することを特徴とする付記１記載のゲイン調整装置。
【００９１】
（付記８）記憶媒体に記憶されたデータの再生信号を可変利得増幅器の自動利得制御を行って増幅する記憶装置であって、
前記可変利得増幅器のゲインの可変範囲内で再生信号の振幅を所定の目標振幅へ一致させることが可能な自動利得制御のフィードバックループ内の複数の処理の合計ゲインを決定する決定手段と、
前記決定手段によって決定された合計ゲインを満たす個々の処理のゲインの組み合わせを前記フィードバックループ内に順次設定する設定手段と、
前記設定手段によって設定されたゲインで増幅された信号の状態に応じて最適なゲインの組み合わせを判定する判定手段と
を有することを特徴とする記憶装置。
【００９２】
（付記９）可変利得増幅器の自動利得制御を行うフィードバックループ内のゲインを調整するゲイン調整方法であって、
前記可変利得増幅器のゲインの可変範囲内で入力信号の振幅を所定の目標振幅へ一致させることが可能な前記フィードバックループ内の複数の処理の合計ゲインを決定する決定工程と、
前記決定工程にて決定された合計ゲインを満たす個々の処理のゲインの組み合わせを前記フィードバックループ内に順次設定する設定工程と、
前記設定工程にて設定されたゲインで増幅された信号の状態に応じて最適なゲインの組み合わせを判定する判定工程と
を有することを特徴とするゲイン調整方法。
【産業上の利用可能性】
【００９３】
本発明は、エラーレートを最小限に抑制しつつ、ＡＧＣを正常に機能させる場合に適用することができる。
【図面の簡単な説明】
【００９４】
【図１】実施の形態１に係るゲイン調整装置の要部構成を示すブロック図である。
【図２】実施の形態１に係るゲイン調整の動作を示すフロー図である。
【図３】実施の形態１に係るゲインの組み合わせごとのエラーレートの例を示す図である。
【図４】実施の形態２に係るゲイン調整装置の要部構成を示すブロック図である。
【図５】実施の形態２に係るゲイン調整の動作を示すフロー図である。
【図６】イコライザ部によるフィルタリングの例を示す図である。
【図７】ＡＤ変換部による量子化の例を示す図である。
【図８】ＡＧＣ回路の構成例を示すブロック図である。
【図９】ＡＧＣ回路におけるゲインとエラーレートの関係の例を示す図である。
【符号の説明】
【００９５】
１０  前置増幅部
２０  可変利得増幅器
３０  イコライザ部
４０  ＡＤ変換部
５０  フィルタ部
６０  ＡＧＣ部
７０  最尤復号部
１０１  合計ゲイン候補決定部
１０２  ゲイン設定部
１０３  書込データ保持部
１０４  エラーレート算出部
１０５、２０３  最適ゲイン判定部
２０１、２０２  ピーク検出部
【図１】
2008205849.tif 000003
【図２】
2008205849.tif 000004
【図３】
2008205849.tif 000005
【図４】
2008205849.tif 000006
【図５】
2008205849.tif 000007
【図６】
2008205849.tif 000008
【図７】
2008205849.tif 000009
【図８】
2008205849.tif 000010
【図９】
2008205849.tif 000011